(57)【要約】【課題】複数の光源を個別にまたはブロックごとに輝度制御可能であり、回路構成を簡略化し電力消費を抑制すること。【解決手段】半導体光源１０１−１〜１０１−Ｋは、並列接続されている。ＰＷＭ回路１０４−１〜１０４−ＫおよびＳＷ回路１０３−１〜１０３−Ｋは、半導体光源１０１−１〜１０１−Ｋの駆動を個別に制御する。加算回路１０５は、半導体光源１０１−１〜１０１−Ｋの駆動電流を個別に指定する電流指令値Ｎ１〜ＮＫを加算する。電流源１０２は、半導体光源１０１−１〜１０１−Ｋの共通電源として設けられ、半導体光源１０１−１〜１０１−Ｋの駆動電流を、電流指令値Ｎ１〜ＮＫの加算の結果に応じて供給する。【選択図】図１
2010186827.tif 000002
【特許請求の範囲】
【請求項１】
並列接続された複数の光源と、
前記複数の光源の駆動を個別に制御する駆動制御部と、
前記複数の光源の駆動電流を個別に指定する複数の指令値を加算する加算部と、
前記複数の光源の共通電源として設けられ、前記複数の光源の駆動電流を、前記加算の結果に応じて供給する電流源と、
を有する光源駆動装置。
【請求項２】
前記駆動制御部は、
前記複数の指令値をそれぞれ表す複数の信号をパルス幅変調することにより複数のパルス幅変調信号を生成する複数のパルス幅変調回路と、
前記複数の光源にそれぞれ直列接続され、生成された前記複数のパルス幅変調信号でそれぞれ駆動されることにより前記複数の光源をパルス駆動させる複数のスイッチング回路と、
を有する請求項１記載の光源駆動装置。
【請求項３】
前記加算部は、前記加算を、生成された前記複数のパルス幅変調信号を加算することにより行う、
請求項２記載の光源駆動装置。
【請求項４】
前記加算部は、生成された前記複数のパルス幅変調信号の瞬時レベルを重畳することにより、生成された前記複数のパルス幅変調信号を加算する、
請求項３記載の光源駆動装置。
【請求項５】
並列接続された複数の光源と、前記複数の光源の駆動を個別に制御する駆動制御部と、前記複数の光源の共通電源として設けられた電流源と、を有する光源駆動装置により実行される光源駆動方法であって、
前記複数の光源の駆動電流を個別に指定する指令値を加算する加算ステップと、
前記電流源から前記複数の光源に供給される駆動電流を、前記加算の結果に応じて制御する制御ステップと、
を有する光源駆動方法。
【発明の詳細な説明】
【技術分野】
【０００１】
本発明は、光源駆動装置および光源駆動方法に関する。
【背景技術】
【０００２】
最近、ディスプレイのバックライトその他照明アプリケーション用に半導体光源が利用されている。半導体光源には、半導体レーザ（ＬＤ：Laser Diode）および発光ダイオード（ＬＥＤ：Light Emitting Diode）などがある。半導体光源の発光輝度は、駆動電流の大きさに依存する。このため、半導体光源は、安定的な点灯のために定電流で駆動するのが一般的である（定電流制御）。この定電流制御によって、制御中の各種変動（電源電圧の変動や負荷の変動など）に対して、半導体光源に流れる電流を一定に制御することができる。
【０００３】
図６は、半導体光源を定電流制御するために従来一般的に使用されている半導体光源駆動装置の構成を示すブロック図である。この半導体光源駆動装置は、電流制御ループを用いる定電流駆動回路である。単体のまたは直列接続された複数の半導体光源１の一端には、この半導体光源１に流れる電流を検出する電流検出回路３が設けられている。半導体光源１に定電流を流すために、電流検出回路３の出力は電圧制御回路４へ送られ、電流指令値と比較され、比較結果に応じて電圧源２が制御される。具体的には、電圧源２は、バッテリなどの供給電源５と、供給電源５からの直流電力をＤＣ／ＤＣ変換するための降圧式または昇圧式のスイッチング方式などのＤＣ／ＤＣコンバータ６と、ＬＣ（インダクタとキャパシタ）などの平滑回路７とで構成されている。電圧制御回路４は、電流検出回路３の出力と電圧指令値との比較結果に応じて、ＤＣ／ＤＣコンバータ６を制御する。ＤＣ／ＤＣコンバータ６の出力電圧は、平滑回路７で所望のＤＣ電圧値に設定されて半導体光源１へ供給される。こうして負帰還の閉ループ電流制御が行われる（例えば特許文献１参照）。
【０００４】
このように構成された負帰還閉ループＣＬでは、半導体光源１に流れる電流値が所望の電流値よりも大きい場合は、ＤＣ／ＤＣコンバータ６内のスイッチング素子のゲートにオン期間の幅の狭いパルス状の方形波電圧が供給される。これにより、半導体光源１に供給される平滑化された電圧が低くなり、半導体光源１の電流が小さくなる。逆に、半導体光源１に流れる電流値が所望の電流値よりも小さい場合は、スイッチング素子のゲートにオン期間の幅の広いパルス状の方形波電圧が供給される。これにより、半導体光源１に供給される平滑化された電圧が高くなり、半導体光源１の電流が大きくなる。このような負帰還閉ループ電流制御により、電流検出回路３の出力値が電流指令値と同じになるような所望の定電流が半導体光源１に流れ、安定状態が形成される。
【特許文献１】特開２００７−１３４４３０号公報
【発明の開示】
【発明が解決しようとする課題】
【０００５】
しかしながら、上記従来の光源駆動装置において、複数の半導体光源１が直列に接続されている場合には、全ての半導体光源１の電流値は同一となり、個々の半導体光源１を独立に任意の輝度に制御することができない。バックライト光源として半導体光源を用いる液晶表示装置では、映像信号に連動して部分的に輝度を変える制御が行われることがある（一般にはローカルディミングやエリア制御などと呼ばれている）。このような制御に図６の半導体光源駆動装置を適用する場合には、図７に例示するように、複数の半導体光源駆動装置を用いる必要がある。なお、図７の例では、２４個の半導体光源が用いられ、６個の光源ブロック１１ａ〜１１ｆのそれぞれにおいて４個の半導体光源が直列接続されている。ここでは、輝度制御をブロックごとに行うことは可能である。しかしながら、各ブロックにおいて直列接続された４個の半導体光源については、駆動電流を個別に制御することができないので、半導体光源ごとの個別の輝度制御は不可能である。また、２４個の半導体光源を用いていながら、６ブロックしか形成することができず、よって、エリア制御においては最大で６エリア（例えば図８参照）までしか対応することができない。より多数のエリアに対してエリア制御を行うにはより多数の半導体光源ブロックを用いる必要がある。
【０００６】
図９は、個々の半導体光源２１ａ〜２１ｘの駆動電流を個別に制御し、ひいては半導体光源２１ａ〜２１ｘの輝度を個別に制御し得る構成の例を示す。この構成は、２４個の半導体光源を用いて２４ブロックを形成することができ、よって、エリア制御においては最大で２４エリア（例えば図１０参照）まで対応することができる。つまり、より多数のエリアに対するエリア制御に適している。
【０００７】
図９の構成は、図７の構成に比べて、１個の電圧源２２を共通電源として用いて実現される点で有利である。しかしその代わりに、図９の構成は、半導体光源２１ａ〜２１ｘの電流を個別に制御するためにそれぞれの電流値をフィードバックする電流制御回路２４ａ〜２４ｘを備える必要がある。
【０００８】
そして、図９の構成では、半導体光源２１ａ〜２１ｘの個数と同数の電流制御回路２４ａ〜２４ｘが必要となり、したがって、半導体光源の個数が多くなると複雑で大掛かりな構成となりコストが増大する。また、電流検出回路２３ａ〜２３ｘとしては抵抗を用いるのが一般的であるため、そこを流れる電流値に応じて電力損失が発生する。図９の構成では、半導体光源２１ａ〜２１ｘの個数と同数の電流検出回路２３ａ〜２３ｘが用いられるため、半導体光源の個数が多くなると電力損失が増大し、効率が低下する。さらに、電流制御回路２４ａ〜２４ｘはその両端の電圧を加減して半導体光源２１ａ〜２１ｘに加わる電圧を制御するので、電流制御回路２４ａ〜２４ｘでも、そこを流れる電流値に応じて電力損失が発生する。上記のとおり半導体光源２１ａ〜２１ｘの個数と同数の電流制御回路２４ａ〜２４ｘが用いられるため、半導体光源の個数が多くなると電力損失が増大し、効率が一層低下する。
【０００９】
つまり、半導体光源の個数が同数であることを前提とすると、直列接続する半導体光源の個数を増やしてブロック数を減らすと電流検出回路での消費電力が減少するが、エリア制御できるエリア数が減少する。一方、直列接続する半導体光源の個数を減らしてブロック数を増やすとエリア制御できるエリア数が増加するが、電流検出回路と電流制御回路での消費電力は増大する。
【００１０】
本発明は、かかる点に鑑みてなされたもので、複数の光源を個別にまたはブロックごとに輝度制御可能であり、回路構成を簡略化し電力消費を抑制することができる光源駆動装置および光源駆動方法を提供することを目的とする。
【課題を解決するための手段】
【００１１】
本発明の光源駆動装置は、並列接続された複数の光源と、前記複数の光源の駆動を個別に制御する駆動制御部と、前記複数の光源の駆動電流を個別に指定する複数の指令値を加算する加算部と、前記複数の光源の共通電源として設けられ、前記複数の光源の駆動電流を、前記加算の結果に応じて供給する電流源と、を有する構成を採る。
【００１２】
本発明の光源駆動方法は、並列接続された複数の光源と、前記複数の光源の駆動を個別に制御する駆動制御部と、前記複数の光源の共通電源として設けられた電流源と、を有する光源駆動装置により実行される光源駆動方法であって、前記複数の光源の駆動電流を個別に指定する指令値を加算する加算ステップと、前記電流源から前記複数の光源に供給される駆動電流を、前記加算の結果に応じて制御する制御ステップと、を有するようにした。
【発明の効果】
【００１３】
本発明によれば、複数の光源を個別にまたはブロックごとに輝度制御可能であり、回路構成を簡略化し電力消費を抑制することができる。
【発明を実施するための最良の形態】
【００１４】
以下、本発明の実施の形態について、図面を用いて詳細に説明する。
【００１５】
（実施の形態１）
図１は、本発明の実施の形態１に係る光源駆動装置としての半導体光源駆動装置の構成を示すブロック図である。
【００１６】
図１において、半導体光源駆動装置は、Ｋ個（Ｋは２以上の整数）の半導体光源１０１−１〜１０１−Ｋ、電流源１０２、Ｋ個のスイッチング（ＳＷ）回路１０３−１〜１０３−Ｋ、Ｋ個のパルス幅変調（ＰＷＭ）回路１０４−１〜１０４−Ｋおよび加算回路１０５を有する。
【００１７】
半導体光源１０１−１は、１つのブロックを形成する単体のまたは直列接続されたＬＤまたはＬＥＤなどの光源である。半導体光源１０１−２〜１０１−Ｋも同様である。半導体光源１０１−１〜１０１−Ｋは互いに並列接続されている。
【００１８】
電流源１０２は、半導体光源１０１−１〜１０１−Ｋの共通電源として設けられている。電流源１０２は、後述する電流源電流指令信号に応じて、半導体光源１０１−１〜１０１−Ｋの駆動電流を制御する。制御された駆動電流は、電流源１０２から半導体光源１０１−１〜１０１−Ｋに供給され、これにより半導体光源１０１−１〜１０１−Ｋが駆動される。
【００１９】
ＰＷＭ回路１０４−１〜１０４−Ｋは、電流指令値Ｎ１〜ＮＫを振幅値で表す信号を入力し、入力信号をＰＷＭすることによりＰＷＭ信号を生成し、生成されたＰＷＭ信号をＳＷ回路１０３−１〜１０３−Ｋおよび加算回路１０５に供給する。
【００２０】
なお、電流指令値Ｎ１〜ＮＫは、個々の半導体光源１０１−１〜１０１−Ｋの平均駆動電流を制御して個々の半導体光源１０１−１〜１０１−Ｋを所望の輝度で発光させるために、半導体光源１０１−１〜１０１−Ｋに対して個別に指定される値である。よって、電流指令値Ｎ１〜ＮＫは、個々の半導体光源１０１−１〜１０１−Ｋについて指定された平均駆動電流の値またはそれに対応する値を示すものである。
【００２１】
ＳＷ回路１０３−１〜１０３−Ｋはそれぞれ、例えば電界効果トランジスタから構成され、半導体光源１０１−１〜１０１−Ｋに直列接続されている。ＳＷ回路１０３−１〜１０３−Ｋは、ＰＷＭ回路１０４−１〜１０４−Ｋから供給されるＰＷＭ信号に従ってオンオフ動作を行うよう駆動され、これにより半導体光源１０１−１〜１０１−Ｋをパルス駆動させる。
【００２２】
ＰＷＭ回路１０４−１〜１０４−ＫおよびＳＷ回路１０３−１〜１０３−Ｋの組合せは、半導体光源１０１−１〜１０１−Ｋの駆動を個別に制御する駆動制御部を構成する。
【００２３】
加算部としての加算回路１０５は、電流指令値Ｎ１〜ＮＫの加算結果を取得する。具体的には、加算回路１０５は、ＰＷＭ回路１０４−１〜１０４−Ｋから供給されるＰＷＭ信号の瞬時レベルを重畳する加算器から構成されている。加算回路１０５は、ＰＷＭ回路１０４−１〜１０４−Ｋから供給されるＰＷＭ信号の瞬時レベルを重畳することにより、ＰＷＭ信号を加算する。ＰＷＭ信号の加算結果として得られる電流源電流指令信号は、電流指令値Ｎ１〜ＮＫの合計値を、振幅値とその持続時間との積の合計値で表す信号であり、加算回路１０５から電流源１０２に供給される。
【００２４】
以下、ＰＷＭ信号の加算方法について、図２に示すように半導体光源などの個数Ｋが４である場合を例にとって説明する。図３は、ＰＷＭ信号の加算方法を説明するための図である。
【００２５】
図３（ａ）において示されたパルスは、ＰＷＭ回路１０４−１において電流指令値Ｎ１をＰＷＭすることによって生成されＳＷ回路１０３−１に供給されるＰＷＭ信号Ｓ１である。図３（ｂ）において示されたパルスは、ＰＷＭ回路１０４−２において電流指令値Ｎ２をＰＷＭすることによって生成されＳＷ回路１０３−２に供給されるＰＷＭ信号Ｓ２である。図３（ｃ）において示されたパルスは、ＰＷＭ回路１０４−３において電流指令値Ｎ３をＰＷＭすることによって生成されＳＷ回路１０３−３に供給されるＰＷＭ信号Ｓ３である。図３（ｄ）において示されたパルスは、ＰＷＭ回路１０４−４において電流指令値Ｎ４をＰＷＭすることによって生成されＳＷ回路１０３−４に供給されるＰＷＭ信号Ｓ４である。ＰＷＭ信号Ｓ１〜Ｓ４の振幅値はいずれもＶであるが、ＰＷＭキャリア周期ＴＰＥＲＩＯＤにおけるパルス幅は電流指令値Ｎ１〜ＮＫに応じて調整される。
【００２６】
ＳＷ回路１０３−１は、ＰＷＭ回路１０４−１から供給されるＰＷＭ信号Ｓ１に従って駆動される。このため、時刻ｔ０から時刻ｔ１まで、時刻ｔ１４から時刻ｔ１５まで、時刻ｔ１６から時刻ｔ１７まで、時刻ｔ１９から時刻ｔ２０までおよび時刻ｔ２３から時刻ｔ２４までの期間には、ＳＷ回路１０３−１はオン状態となって、駆動電流が半導体光源１０１−１に供給される。それ以外の期間には、ＳＷ回路１０３−１はオフ状態となって、半導体光源１０１−１への駆動電流供給が遮断される。
【００２７】
ＳＷ回路１０３−２は、ＰＷＭ回路１０４−２から供給されるＰＷＭ信号Ｓ２に従って駆動される。このため、時刻ｔ０から時刻ｔ２まで、時刻ｔ5から時刻ｔ６まで、時刻ｔ１６から時刻ｔ１８まで、時刻ｔ１９から時刻ｔ２１までおよび時刻ｔ２３から時刻ｔ２５までの期間には、ＳＷ回路１０３−２はオン状態となって、駆動電流が半導体光源１０１−２に供給される。それ以外の期間には、ＳＷ回路１０３−２はオフ状態となって、半導体光源１０１−２への駆動電流供給が遮断される。
【００２８】
ＳＷ回路１０３−３は、ＰＷＭ回路１０４−３から供給されるＰＷＭ信号Ｓ３に従って駆動される。このため、時刻ｔ０から時刻ｔ３まで、時刻ｔ５から時刻ｔ７まで、時刻ｔ９から時刻ｔ１０まで、時刻ｔ１９から時刻ｔ２２までおよび時刻ｔ２３から時刻ｔ２６までの期間には、ＳＷ回路１０３−３はオン状態となって、駆動電流が半導体光源１０１−３に供給される。それ以外の期間には、ＳＷ回路１０３−３はオフ状態となって、半導体光源１０１−３への駆動電流供給が遮断される。
【００２９】
ＳＷ回路１０３−４は、ＰＷＭ回路１０４−４から供給されるＰＷＭ信号Ｓ４に従って駆動される。このため、時刻ｔ０から時刻ｔ４まで、時刻ｔ５から時刻ｔ８まで、時刻ｔ９から時刻ｔ１１まで、時刻ｔ１２から時刻ｔ１３までおよび時刻ｔ２３から時刻ｔ２７までの期間には、ＳＷ回路１０３−４はオン状態となって、駆動電流が半導体光源１０１−４に供給される。それ以外の期間には、ＳＷ回路１０３−４はオフ状態となって、半導体光源１０１−４への駆動電流供給が遮断される。
【００３０】
加算回路１０５は、ＰＷＭ回路１０４−１〜１０４−Ｋから供給されるＰＷＭ信号Ｓ１〜Ｓ４の瞬時レベルを重畳することにより、電流源電流指令信号ＳＣＳを生成する。よって、電流源電流指令信号ＳＣＳの振幅値は、重畳されるＰＷＭ信号の瞬時レベルの総和に応じて可変となる。
【００３１】
したがって、ｋ個（ｋは０≦ｋ≦Ｋの整数）のＰＷＭ信号がオンの期間では、加算回路１０５から電流源１０２に供給される電流源電流指令信号ＳＣＳの振幅値はｋ・Ｖである（図３（ｅ）参照）。この期間では、ｋ個のＳＷ回路がオンとなりそれ以外のＳＷ回路はオフとなる。また、これに同期して電流源１０２がｋ・Ｖに応じた駆動電流の供給を行う。このとき導通状態となるｋ個の半導体光源のそれぞれには、ＰＷＭ信号の振幅値Ｖに応じた駆動電流が供給される。
【００３２】
これにより、各半導体光源１０１−１〜１０１−Ｋには、電流指令値Ｎ１〜ＮＫに応じた平均駆動電流が流れ、半導体光源１０１−１〜１０１−Ｋは、それぞれの平均駆動電流に応じた輝度で発光する。
【００３３】
このように、本実施の形態によれば、並列接続され個別にパルス駆動される半導体光源１０１−１〜１０１−Ｋの駆動電流を個別に指定する電流指令値Ｎ１〜ＮＫを加算して、共通電源である電流源１０２から半導体光源１０１−１〜１０１−Ｋに供給される駆動電流を、電流指令値Ｎ１〜ＮＫの加算の結果に応じて供給する。このため、半導体光源１０１−１〜１０１−Ｋに対して、個別に必要な駆動電流を個別に供給することができるので、半導体光源１０１−１〜１０１−Ｋの発光輝度を個別にまたはブロックごとに制御することができる。従来の半導体光源駆動装置では、電圧源を使用していたため、光源ごとに電流検出回路を設ける必要があり、電流検出回路が有する抵抗に起因する電力損失が、不可避であった。これに対し、本実施の形態の半導体光源駆動装置では、従来の半導体光源駆動装置とは異なり、電流検出回路を光源ごとに設ける必要がないので、電力消費を抑制することができる。すなわち、半導体光源１０１−１〜１０１−Ｋを個別に最小電力で調光することができる。さらに、本実施の形態では電流制御回路を光源ごとに設ける必要もないので、回路構成を簡略化することができる。
【００３４】
また、本実施の形態によれば、駆動制御部は、電流指令値Ｎ１〜ＮＫをそれぞれ表す複数の信号をＰＷＭすることによりＰＷＭ信号Ｓ１〜ＳＫを生成するＰＷＭ回路１０４−１〜１０４−Ｋと、半導体光源１０１−１〜１０１−Ｋにそれぞれ直列接続され、ＰＷＭ信号Ｓ１〜ＳＫでそれぞれ駆動されることにより半導体光源１０１−１〜１０１−Ｋをパルス駆動させるＳＷ回路１０３−１〜１０３−Ｋと、を有する。このため、複数の半導体光源をパルス駆動する半導体光源駆動装置において上記作用効果を実現することができる。
【００３５】
なお、駆動制御部の構成を適宜変更することにより、複数の半導体光源をリニア駆動する半導体光源駆動装置においても上記作用効果を実現することができる。
【００３６】
また、本実施の形態によれば、加算回路１０５の入力端子は、ＳＷ回路１０３−１〜１０３−Ｋの制御入力端子と同様にＰＷＭ回路１０４−１〜１０４−Ｋの出力端子に接続されている。このため、加算回路１０５は、電流指令値Ｎ１〜ＮＫの加算を、電流指令値Ｎ１〜ＮＫから生成されてＳＷ回路１０３−１〜１０３−Ｋのスイッチング制御に用いられるＰＷＭ信号Ｓ１〜ＳＫを加算することによって行い、その結果として生成された電流源電流指令信号ＳＣＳを電流源１０２に供給する。したがって、ＳＷ回路１０３−１〜１０３−Ｋのスイッチング動作と電流源１０２からの必要な駆動電流の供給とを容易に同期化させることができる。
【００３７】
現実には、ＳＷ回路１０３−１〜１０３−Ｋの応答と電流源１０２の応答時間との差によるタイミングずれが発生することが想定されるが、次の（１）または（２）の方法にてこのタイミングずれに対応することが可能である。
【００３８】
（１）各ＳＷ回路１０３−１〜１０３−Ｋの応答と電流源１０２の応答とを揃える。：各ＳＷ回路１０３−１〜１０３−Ｋと電流源１０２のうちいずれか遅い方の応答に速い方の応答を合わせる。
【００３９】
（２）各ＳＷ回路１０３−１〜１０３−Ｋの応答を電流源１０２の応答よりも速くする。：いずれかのＳＷ回路の応答が遅く電流源１０２の応答の方が速いと、先にオンしているいずれかの半導体光源に過大電流が流れてしまう可能性がある。よって、各ＳＷ回路１０３−１〜１０３−Ｋの応答を電流源１０２の応答よりも速くする必要がある。
【００４０】
なお、リニア駆動の場合は、加算回路１０５は、ＰＷＭ信号Ｓ１〜ＳＫを加算する代わりに、電流指令値Ｎ１〜ＮＫそのものを加算する。この場合における構成例を図４に示す。図４に示す構成は、ＰＷＭ回路１０４−１〜１０４−Ｋを削除し、ＳＷ回路１０３−１〜１０３−Ｋを、増幅回路１０６−１〜１０６−Ｋに置き換えている点で、図１に示した構成と相違している。
【００４１】
図４に示す構成において、電流指令値Ｎ１〜ＮＫは、直接増幅回路１０６−１〜１０６−Ｋに供給され、各増幅回路１０６−１〜１０６−Ｋは、各電流指令値Ｎ１〜ＮＫに相当する電流を半導体光源１０１−１〜１０１−Ｋに流そうとする。一方、加算回路１０５では、各電流指令値Ｎ１〜ＮＫの加算が行われ、その結果として駆動電流の合計瞬時値が電流源１０２の電流指令値として算出される。これにより、各半導体光源１０１−１〜１０１−Ｋに電流指令値Ｎ１〜ＮＫに相当する電流が流れる。このため、複数の半導体光源１０１−１〜１０１−Ｋをリニア駆動する半導体光源駆動装置において上記作用効果を実現することができる。
【００４２】
また、本実施の形態によれば、加算回路１０５は、ＰＷＭ信号Ｓ１〜ＳＫの瞬時レベルを重畳することによってＰＷＭ信号Ｓ１〜ＳＫの加算を行う。このため、個別にパルス駆動されるＫ個の半導体光源１０１−１〜１０１−Ｋの駆動に必要かつ十分な電流の瞬時値をリアルタイムに取得することができる。
【００４３】
（実施の形態２）
図５は、本発明の実施の形態２に係る光源駆動装置としての半導体光源駆動装置の構成を示すブロック図である。なお、本実施の形態の半導体光源駆動装置は構成上、実施の形態１の半導体光源駆動装置と同様である。よって、実施の形態１で説明したものと同一の構成要素に言及するときには、同一の参照番号を付すことにより、その構成要素についての詳細な説明を省略する。
【００４４】
本実施の形態は、半導体光源１０１−１〜１０１−Ｋの光出力に基づいてＰＷＭ信号のパルス幅を調整する点で、実施の形態１と相違する。
【００４５】
具体的には、図５において、半導体光源駆動装置は、Ｋ個の光出力検出器２０１−１〜２０１−ＫおよびＫ個の光出力制御器２０２−１〜２０２−Ｋを有する。
【００４６】
光出力検出器２０１−１〜２０１−Ｋは、半導体光源１０１−１〜１０１−Ｋの近傍に配置され、半導体光源１０１−１〜１０１−Ｋの光出力、例えば発光輝度を検出する。
【００４７】
光出力制御器２０２−１〜２０２−Ｋは、光出力指令値Ｍ１〜ＭＫを入力し、入力された光出力指令値Ｍ１〜ＭＫと光出力検出器２０１−１〜２０１−Ｋによって検出された半導体光源１０１−１〜１０１−Ｋの光出力との差分に基づいて電流指令値Ｎ１〜ＮＫを生成する。電流指令値Ｎ１〜ＮＫは、実施の形態１と同様、ＰＷＭ回路１０４−１〜１０４−Ｋの入力となる。
【００４８】
なお、光出力指令値Ｍ１〜ＭＫは、個々の半導体光源１０１−１〜１０１−Ｋを所望の輝度で発光させるために、半導体光源１０１−１〜１０１−Ｋに対して個別に指定される値である。よって、光出力指令値Ｍ１〜ＭＫは、個々の半導体光源１０１−１〜１０１−Ｋについて指定された所望の発光輝度の値またはそれに対応する値を示すものである。
【００４９】
上記構成により、ＰＷＭ回路１０４−１〜１０４−Ｋは、各半導体光源１０１−１〜１０１−Ｋの平均光出力が光出力指令値Ｍ１〜ＭＫと一致するようにＰＷＭ信号Ｓ１〜ＳＫのパルス幅を調整することができる。
【００５０】
以上、本発明の各実施の形態について説明した。
【００５１】
なお、以上の説明は本発明の好適な実施の形態の例証であり、本発明の範囲はこれに限定されない。つまり、上記装置の構成及び動作等についての説明は例であり、本発明の範囲においてこれらの例に対する様々な変更及び追加が可能であることは明らかである。
【産業上の利用可能性】
【００５２】
本発明の光源駆動装置および光源駆動方法は、複数の光源を個別にまたはブロックごとに制御することに伴う電力消費を抑制する効果を有し、エリア制御を行うディスプレイ用バックライト装置において有用である。
【図面の簡単な説明】
【００５３】
【図１】本発明の実施の形態１に係る半導体光源駆動装置の構成を示すブロック図
【図２】４個の半導体光源を駆動する、本発明の実施の形態１に係る半導体光源駆動装置の構成を示すブロック図
【図３】図２に示す半導体光源駆動装置におけるＰＷＭ信号の加算方法を説明する図
【図４】本発明の実施の形態１の半導体光源駆動装置の構成の変形例を示す図
【図５】本発明の実施の形態２に係る半導体駆動装置の構成を示すブロック図
【図６】従来の半導体光源駆動装置の構成の一例を示すブロック図
【図７】並列接続された半導体光源を駆動する従来の半導体光源駆動装置の構成の一例を示すブロック図
【図８】図７に示す半導体光源駆動装置が対応可能なエリア制御の一態様を示す図
【図９】並列接続された半導体光源を駆動する従来の半導体光源駆動装置の構成の別の例を示すブロック図
【図１０】図９に示す半導体光源駆動装置が対応可能なエリア制御の一態様を示す図
【符号の説明】
【００５４】
１０１−１〜１０１−Ｋ  半導体光源
１０２  電流源
１０３−１〜１０３−Ｋ  ＳＷ回路
１０４−１〜１０４−Ｋ  ＰＷＭ回路
１０５  加算回路
１０６−１〜１０６−Ｋ  増幅回路
２０１−１〜２０１−Ｋ  光出力検出器
２０２−１〜２０２−Ｋ  光出力制御器
【図１】
2010186827.tif 000003
【図２】
2010186827.tif 000004
【図３】
2010186827.tif 000005
【図４】
2010186827.tif 000006
【図５】
2010186827.tif 000007
【図６】
2010186827.tif 000008
【図７】
2010186827.tif 000009
【図８】
2010186827.tif 000010
【図９】
2010186827.tif 000011
【図１０】
2010186827.tif 000012